(57)【要約】      （修正有）【課題】制振装置を点検する際の作業性を向上できる制振装置用カバーを提供する。【解決手段】橋梁のケーブル定着部５に装着される制振装置用カバー１であって、ケーブル定着部５に設けられた制振装置を覆うカバー胴部１０と、カバー胴部１０の一端開口１０Ａの周縁部を構成し、ケーブル４に環装させるケーブル保持部１１と、カバー胴部１０の他端開口１０Ｂの周縁部を構成し、定着管５０に環装させる定着管保持部１２と、カバー胴部１０を一端開口１０Ａから他端開口１０Ｂに亘って分割する分割部１３と、分割部１３の両端縁１３１から外側径方向に突出し、分割部１３を閉じた状態で固定するための締結フランジ１４とを備え、カバー胴部１０は、軸線方向に凹凸連続する蛇腹状に形成されて軸線方向に伸縮可能に構成され、締結フランジ１４は、胴部外周面１００の蛇腹凸面部１０１毎に分割して設けられている。【選択図】図１
2020063619.tif 000002
【特許請求の範囲】
【請求項１】
橋梁のケーブル定着部に装着される制振装置用カバーであって、
ケーブル定着部に設けられた制振装置を覆うカバー胴部と、
カバー胴部の一端開口の周縁部を構成し、ケーブルに環装させるケーブル保持部と、
カバー胴部の他端開口の周縁部を構成し、橋桁の定着管に環装させる定着管保持部と、
カバー胴部を一端開口から他端開口に亘って分割する分割部と、
分割部の両端縁から外側径方向に突出し、分割部を閉じた状態で固定するための締結フランジとを備え、
前記カバー胴部は、軸線方向に凹凸連続する蛇腹状に形成されて軸線方向に伸縮可能に構成され、
前記締結フランジは、カバー胴部の外周面における複数の蛇腹凸面部毎に分割して設けられている制振装置用カバー。
【請求項２】
請求項１に記載の制振装置用カバーにおいて、
前記定着管保持部の内周面に沿って環状に内側径方向に突出し、定着管の外周の環状面に接触する内リブが設けられている制振装置用カバー。
【請求項３】
請求項１または２に記載の制振装置用カバーにおいて、
前記カバー胴部の周壁の外側面に、分割部に沿って内側径方向に凹没する溝部が設けられている制振装置用カバー。
【発明の詳細な説明】
【技術分野】
【０００１】
本発明は、斜張橋などの橋梁のケーブル定着部に設けられた制振装置を覆う制振装置用カバーに関する。
【背景技術】
【０００２】
図８に示すように、橋桁Ｐを複数のケーブル４で支持する斜張橋は、橋桁Ｐに設けられた定着管５０とケーブル４とを繋ぐケーブル定着部５に、ケーブル４の振動を減衰させるための制振装置６が設けられている。制振装置６は、ケーブル４の外周に環設されるケーブルフランジ６４と、定着管５０の外周に環設される定着管フランジ６５との対向面相互間に、高粘弾性材料で形成された柱状の吸振体、所謂高減衰ゴム６６を複数挟設させたものであって、ケーブル４の振動に伴ってケーブルフランジ６４が定着管フランジ６５に対して径方向に変位する動きを、高減衰ゴム６６にて吸収し減衰させるように構成されている。
【０００３】
ところが、吸振部材６６は、直射日光からの熱や紫外線、酸性雨、潮風等に晒され続けると劣化が早まり、所望の制振性能を長期に亘って維持できなくなる虞がある。従って、制振装置６は、全体が制振装置用カバー７で覆われている。
【０００４】
図９および図１０に示すように、従来、制振装置用カバー７において、両端が開口する略円錐台状のカバー胴部７０と、カバー胴部７０の一端開口７０Ａの周縁部に沿って形成される円環帯状のケーブル保持部７１と、カバー胴部７０の他端開口７０Ｂの周縁部に沿って形成される円環帯状の定着管保持部７２とを備え、ケーブル保持部７１をケーブル４の外周に環装させる一方、定着管保持部７２を定着管５０の外周に環装させることで、ケーブル定着部５に保持固定されるようにしたものが知られている（例えば、特許文献１および２参照）。
【先行技術文献】
【特許文献】
【０００５】
【特許文献１】特開２０１８−８７４４９号公報
【特許文献２】特開２００３−７４０１２号公報
【発明の概要】
【発明が解決しようとする課題】
【０００６】
上記従来の制振装置用カバー７は、周壁７Ｓが一端開口７０Ａから他端開口７０Ｂに至る分割部７３で分割されており、分割部７３を開いて制振装置６の外側に被せられる。また、カバー胴部７０の外周面７００には、分割部７３の両端縁に沿って連続する一対のリブ状の締結フランジ７４が形成されており、上記のように制振装置用カバー７を制振装置６の外側に被せた後、締結フランジ７４相互を複数の固定ボルト８により締結固定させる。これにより、制振装置用カバー７は、ケーブル定着部５に保持固定される。
【０００７】
また、図示しないが、ケーブル保持部７１および定着管保持部７２の外周にはそれぞれ締付バンドが巻回され、これにより、制振装置用カバー７は、ケーブル４および定着管５０に対してより強固に保持固定される。さらに、分割部７３および締結フランジ７４のボルト取付孔７５には、制振装置用カバー７内への雨水や粉塵等の浸入を防止するためのコーキング材が塗布される。
【０００８】
ところで、制振装置６の高減衰ゴム６６は、ケーブル４の振動により常に径方向からせん断応力を受けているため、定期的に劣化や破損の有無を点検する必要がある。しかしながら、上記従来の制振装置用カバー７は、制振装置６を点検するのに、ケーブル４および定着管５０に巻回されている締付バンドを取り外し、分割部７３およびボルト取付孔７５に塗布されているコーキング材を除去し、さらに締結フランジ７４から固定ボルト８を全て取り外した後、分割部７３で開いてケーブル定着部５から取り外さなければならず、作業に手間がかかった。
【０００９】
本発明は、上記課題を鑑みてなされたものであり、その目的は、橋梁のケーブル定着部に設けられた制振装置を覆う制振装置用カバーにおいて、制振装置を点検する際の作業性の向上を図ることにある。
【課題を解決するための手段】
【００１０】
本発明に係る制振装置用カバーは、
橋梁のケーブル定着部に装着される制振装置用カバーであって、
ケーブル定着部に設けられた制振装置を覆うカバー胴部と、
カバー胴部の一端開口の周縁部を構成し、ケーブルに環装させるケーブル保持部と、
カバー胴部の他端開口の周縁部を構成し、橋桁の定着管に環装させる定着管保持部と、
カバー胴部を一端開口から他端開口に亘って分割する分割部と、
分割部の両端縁から外側径方向に突出し、分割部を閉じた状態で固定するための締結フランジとを備え、
前記カバー胴部は、軸線方向に凹凸連続する蛇腹状に形成されて軸線方向に伸縮可能に構成され、
前記締結フランジは、カバー胴部の外周面における複数の蛇腹凸面部毎に分割して設けられている。
【００１１】
上記制振装置用カバーによれば、カバー胴部を軸線方向に圧縮変形させることで、制振装置を外部に露出させることができるから、制振装置を点検する際に、分割部やボルト取付孔に塗布されたコーキング材を除去したり、締結フランジから固定ボルトを取り外したり、制振装置用カバーをケーブル定着部から取り外したりする必要がない。しかも、このものでは、締結フランジがカバー胴部の外周面に形成された蛇腹凸面部毎に分割して設けられているから、カバー胴部を軸線方向に圧縮変形させるのに、締結フランジが妨げになり難い。よって、制振装置をより容易に外部に露出させることができる。
【００１２】
好ましくは、前記定着管保持部の内周面に沿って環状に内側径方向に突出し、定着管の外周の環状面に接触する内リブが設けられる。
【００１３】
このものでは、定着管保持部の内周面の全面が定着管の外周の環状面に面接触するように構成されたものに比べて、定着管と定着管保持部との間の接触摩擦を小さくできるから、定着管保持部を定着管からより円滑に抜脱することができる。
【００１４】
好ましくは、前記カバー胴部の周壁の外側面に、分割部に沿って内側径方向に凹没する溝部が設けられる。
【００１５】
このものでは、分割部に沿って一律に適切な量のコーキング材を塗布することができるから、分割部を通じて制振装置用カバー内に雨水や粉塵等が浸入するのを確実に防止できる。また、分割部のコーキング処理の作業性も向上する。
【発明の効果】
【００１６】
以上のように、本発明によれば、カバー胴部を軸線方向に圧縮変形させるだけで、制振装置を外部に露出させることができるから、制振装置を点検する際の作業性が格段に向上する。
【図面の簡単な説明】
【００１７】
【図１】図１は、本発明の実施の形態に係る制振装置用カバーをケーブル定着部に装着させた状態を示す斜視図である。
【図２】図２は、本発明の実施の形態に係る制振装置用カバーをケーブル定着部に装着させた状態を示す側方視断面図である。
【図３】図２は、本発明の実施の形態に係る制振装置用カバーを軸線方向に圧縮変形させた状態を示す側方視断面図である。
【図４】図４は、本発明の実施の形態に係る制振装置用カバーの締結フランジ周辺の側方視図である。
【図５】図５は、本発明の実施の形態に係る制振装置用カバーを軸線方向に圧縮変形させたときの締結フランジ周辺の側方視図である。
【図６】図６は、本発明の実施の形態に係る制振装置用カバーの分割部周辺の上方視断面図である。
【図７】図７は、本発明の実施の形態に係る制振装置用カバーの締結フランジ周辺の上方視断面図である。
【図８】図８は、従来の制振装置用カバーの使用状態を示す図である。
【図９】図９は、従来の制振装置用カバーをケーブル定着部に装着させた状態を示す側方視図である。
【図１０】図１０は、従来の制振装置用カバーの上方視図である。
【発明を実施するための形態】
【００１８】
次に、本発明の実施の形態に係る制振装置用カバーについて、図面を参照しながら詳述する。
【００１９】
図１および図２に示すように、本発明の実施の形態に係る制振装置用カバー１は、両端が開口する略円錐台状のカバー胴部１０と、カバー胴部１０の一端開口１０Ａの周縁部を構成する円環帯状のケーブル保持部１１と、カバー胴部１０の他端開口１０Ｂの周縁部を構成する円環帯状の定着管保持部１２とを備えており、ケーブル保持部１１をケーブル４の外周に環装させ、定着管保持部１２を橋桁に設けられた定着管５０の外周に環装させることで、ケーブル定着部５に保持固定される。また、ケーブル保持部１１および定着管保持部１２の外周にはそれぞれ、金属製の締付バンド５１，５２が巻回される。これにより、制振装置用カバー１は、ケーブル４および定着管５０に対してより強固に保持固定される。尚、本明細書では、制振装置用カバー１の中心軸線ＣＬの延長方向（軸線方向）を制振装置用カバー１の上下方向、中心軸線ＣＬと直交する方向（径方向）を制振装置用カバー１の側方と規定する。
【００２０】
図２に示すように、ケーブル４の外周には、天然ゴムやシリコン系合成ゴムなどの軟質材料で形成されたシールリングとなる小口側調整リング５４が環設固定されており、小口側調整リング５４の外周面５４０がケーブル４の中間部外周の環状面を構成している。ケーブル保持部１１は、内周面１１０を小口側調整リング５４の外周面５４０に当接させた状態で固定され、これにより、ケーブル保持部１１とケーブル４との間の水密性が確保される。
【００２１】
小口側調整リング５４の外周面５４０には、外側径方向に突出する単数又は複数のリブ状の係合突起５４１が形成されている。一方、ケーブル保持部１１の内周面１１０には、外側径方向に凹没する単数又は複数の係合溝１１１が形成されており、係合突起５４１が係合溝１１１に嵌入することで、小口側調整リング５４に対するケーブル保持部１１の軸線方向への移動が阻止される。
【００２２】
定着管５０の端部外周にもケーブル４と同様、軟質材料で形成されたシールリングとなる大口側調整リング５５が環設固定されており、大口側調整リング５５の外周面５５０が定着管５０の端部外周の環状面を構成している。定着管保持部１２は、内周面１２０に形成された複数の内リブ１２１を大口側調整リング５５の外周面５５０に当接させた状態で固定され、これにより、定着管保持部１２と定着管５０との間の水密性が確保される。
【００２３】
内リブ１２１は、定着管保持部１２の内周面１２０に沿って環状に、内側径方向に突出形成された縦断面略三角形状の突起であり、定着管保持部１２に締付バンド５２が巻回されていない状態では、内周端縁部が大口側調整リング５５の外周面５５０に沿って接触する。一方、定着管保持部１２に締付バンド５２が巻回された状態では、内リブ１２１は、大口側調整リング５５側に押し付けられて弾性変形し、さらに広い範囲が大口側調整リング５５の外周面５５０に接触する。即ち、定着管保持部１２に締付バンド５２を巻回すれば、内リブ１２１と大口側調整リング５５との接触面積が増加し、締付バンド５２を定着管保持部１２から取り外せば、上記接触面積が減少するように構成されている。
【００２４】
制振装置用カバー１は、全体が天然ゴムやシリコン系合成ゴム、エチレンプロピレンジエン系合成ゴム、クロロプレン系合成ゴムなどの軟質材料で形成されており、ケーブル定着部５に装着する際や制振装置６を点検する際に、比較的容易に弾性変形可能な可撓性を有している。
【００２５】
制振装置用カバー１の周壁であるカバー周壁１Ｓは、一端開口１０Ａから他端開口１０Ｂに至る一つの分割部１３で分割されており、制振装置用カバー１をケーブル定着部５に装着する際には、分割部１３を開いて制振装置６の外側に被せられる。
【００２６】
カバー胴部１０は、ケーブル保持部１１から定着管保持部１２に向かって拡径し、且つ軸線方向に凹凸連続する蛇腹状に形成されており、軸線方向に所定の範囲内（例えば、制振装置用カバー１の軸線方向の寸法（長さ）が通常時の約３／５になるまでの範囲内）で圧縮変形させることができる。
【００２７】
尚、制振装置６は、ケーブル４の外周に環設されるケーブルフランジ６４と、定着管５０の端部外周に環設される定着管フランジ６５と、ケーブルフランジ６４および定着管フランジ６５の対向面相互間に挟設される複数の高減衰ゴム６６とで構成されており、定着管フランジ６５は、大口側調整リング５５のケーブル４側に面合わせの状態で配設されている。即ち、制振装置６は、大口側調整リング５５のケーブル４側に隣接して配設されている。従って、図３に示すように、定着管保持部１２の締付バンド５２を取り外した状態で、定着管保持部１２を定着管５０の大口側調整リング５５からケーブル４側に抜脱し、カバー胴部１０を所定の長さ以下まで軸線方向に圧縮変形させれば、制振装置６は、定着管保持部１２と大口側調整リング５５との隙間から外部に露出する。
【００２８】
カバー胴部１０の外周面である胴部外周面１００には、分割部１３の両端縁１３１から外側径方向に突出し、分割部１３を固定ボルト８によって閉じた状態で締結固定するための締結フランジ１４が形成されている。胴部外周面１００には、側方視断面略三角形状の蛇腹凸面部１０１が複数（ここでは、５つ）形成されており、締結フランジ１４は、各蛇腹凸面部１０１のケーブル４側の斜面部である上斜面部１０２にそれぞれ分割して設けられている。
【００２９】
図４に示すように、締結フランジ１４は、ボルト取付孔１５を有する側方視略三角形状の突片であり、カバー胴部１０を軸線方向に圧縮変形させていない装着時の状態では、ケーブル４側の側縁部である上側縁部１４２と蛇腹凸面部１０１の定着管５０側の斜面部である下斜面部１０３との間に、外側に向かって拡幅する間隙Ｒが形成されている。従って、図３および図５に示すように、制振装置用カバー１は、締結フランジ１４の上側縁部１４２が蛇腹凸面部１０１の下斜面部１０３に接触し、間隙Ｒが消失する長さまで圧縮変形させることができる。
【００３０】
図６に示すように、分割部１３は、両端縁１３１の外側コーナー部がテーパ状に切欠形成されており、閉じられた状態のとき、カバー周壁１Ｓの外側面には、分割部１３に沿って内側径方向に凹没する断面略Ｖ字状の溝部１６が形成される。
【００３１】
図７に示すように、溝部１６は、締結フランジ１４の外側面を含む分割部１３の形成域全体に設けられており、制振装置用カバー１をケーブル定着部５に保持固定させた後、シリコン系樹脂などのコーキング材９が塗布される。また、各締結フランジ１４のボルト取付孔１５にも同様、締結フランジ１４相互を固定ボルト８にて締結固定させた後、コーキング材９が塗布される。
【００３２】
このように、上記制振装置用カバー１によれば、定着管保持部１２の締付バンド５２を取り外した後、定着管保持部１２を定着管５０の大口側調整リング５５からケーブル４側に抜脱し、カバー胴部１０を圧縮変形させれば、制振装置６を外部に露出させることができるから、制振装置６を点検する際に、分割部１６やボルト取付孔１５に塗布されたコーキング材９を除去したり、締結フランジ１４から固定ボルト８を取り外したり、制振装置用カバー１をケーブル定着部５から取り外したりする必要がない。これにより、制振装置６を点検する際の作業性が格段に向上する。
【００３３】
しかも、締結フランジ１４が胴部外周面１００に形成された蛇腹凸面部１０１毎に分割して設けられているから、カバー胴部１０を軸線方向に圧縮変形させるのに、締結フランジ１４が妨げになり難く、制振装置６をより容易に外部に露出させることができる。これにより、制振装置６を点検する際の作業性が一層向上する。
【００３４】
また、上記制振装置用カバー１では、定着管保持部１２の内周面１２０に沿って環状に形成された内リブ１２１が大口側調整リング５５の外周面５５０に沿って当接するように構成されているから、定着管５０と定着管保持部１２との間の接触摩擦が小さく、定着管保持部１２を定着管５０からより円滑に抜脱することができる。これにより、制振装置６を点検する際の作業性が一層向上する。
【００３５】
さらに、上記制振装置用カバー１では、カバー周壁１Ｓの外側面に、分割部１３に沿って内側径方向に凹没する溝部１６を設けたことで、分割部１３に沿って一律に適切な量のコーキング材９を塗布することができるから、分割部１３を通じて制振装置用カバー１内に雨水や粉塵等が浸入するのを確実に防止できるし、分割部１３のコーキング処理の作業性も向上する。
【００３６】
尚、上記実施の形態では、カバー胴部１０は、５つの蛇腹凸面部１０１からなる蛇腹状に形成されたものを説明したが、軸線方向に所定の範囲内で円滑に圧縮変形し、制振装置６を定着管保持部１２と大口側調整リング５５との隙間から外部に露出させることが可能であれば、４つ以下の蛇腹凸面部１０１からなる蛇腹状に形成されたものとしてもよいし、６つ以上の蛇腹凸面部１０１からなる蛇腹状に形成されたものとしてもよい。
【００３７】
また、上記実施の形態では、定着管保持部１２は、内周面１２０に沿って複数の縦断面略三角形状の内リブ１２１が設けられたものを説明したが、定着管保持部１２と定着管５０との間の水密性が確保され、且つ定着管保持部１２を定着管５０から円滑に抜脱することが可能であれば、内周面１２０に沿って単数のみ内リブ１２１が設けられたものとしてもよいし、内周面１２０に沿って縦断面略台形状や略半円形状の内リブ１２１が設けられたものとしてもよい。
【００３８】
また、上記実施の形態では、締結フランジ１４は、各蛇腹凸面部１０１の上斜面部１０２にそれぞれ分割して設けられたものを説明したが、各蛇腹凸面部１０１の下斜面部１０３にそれぞれ分割して設けられたものとしてもよいし、各蛇腹凸面部１０１における上斜面部１０２と下斜面部１０３との間の頂面部にそれぞれ分割して設けられたものとしてもよい。
【００３９】
また、上記実施の形態では、溝部１６は、締結フランジ１４の外側面を含む分割部１３の形成域全体に設けられたものを説明したが、分割部１３を通じて制振装置用カバー１内に雨水や粉塵等が浸入するのを確実に防止可能であれば、固定ボルト８の締付力によって強固に圧接される締結フランジ１４の外側面領域を除く、他の分割部１３の形成域にのみ設けられたものとしてもよい。
【符号の説明】
【００４０】
１        制振装置用カバー
１Ｓ      カバー周壁
４        ケーブル
５        ケーブル定着部
６        制振装置
１０      カバー胴部
１０Ａ    一端開口
１０Ｂ    他端開口
１１      ケーブル保持部
１２      定着管保持部
１３      分割部
１４      締結フランジ
１６      溝部
５０      定着管
１００    胴部外周面
１０１    蛇腹凸面部
１２１    内リブ
１３１    端縁
【図１】
2020063619.tif 000003
【図２】
2020063619.tif 000004
【図３】
2020063619.tif 000005
【図４】
2020063619.tif 000006
【図５】
2020063619.tif 000007
【図６】
2020063619.tif 000008
【図７】
2020063619.tif 000009
【図８】
2020063619.tif 000010
【図９】
2020063619.tif 000011
【図１０】
2020063619.tif 000012